(57)【要約】【課題】医療の妨げを抑制しつつ使用でき、かつ、排泄物の漏れにくい低体重児用吸収パッドを提供すること。【解決手段】吸収体（２）と、吸収体（２）よりも肌側に配置された肌側シート（３）と、吸収体（２）よりも非肌側に配置された外装シート（６）とを有する低体重児用吸収パッド（１）であって、長手方向の長さは１８０ｍｍ以下であり、幅方向の長さは７５ｍｍ未満であり、梱包状態において、低体重児用吸収パッド（１）は折られていない状態であり、外装シート（６）の非肌側から視認可能なデザイン柄（３０）を有すること。【選択図】図２
2019208960.tif 000002
【特許請求の範囲】
【請求項１】
長手方向と幅方向とを有し、
吸収体と、前記吸収体よりも肌側に配置された肌側シートと、前記吸収体よりも非肌側に配置された外装シートとを有する低体重児用吸収パッドであって、
前記長手方向の長さは１８０ｍｍ以下であり、前記幅方向の長さは７５ｍｍ未満であり、
梱包状態において、前記低体重児用吸収パッドは折られていない状態であり、
前記外装シートの非肌側から視認可能なデザイン柄を有すること
を特徴とする低体重児用吸収パッド。
【請求項２】
請求項１に記載の低体重児用吸収パッドであって、
前記吸収体と前記肌側シートとの間に、液透過性の中間シートを有することを特徴とする低体重児用吸収パッド。
【請求項３】
請求項２に記載の低体重児用吸収パッドであって、
前記中間シートの厚みは、前記肌側シートの厚みよりも薄いことを特徴とする低体重児用吸収パッド。
【請求項４】
請求項２又は３に記載の低体重児用吸収パッドであって、
前記中間シートの密度は、前記肌側シートの密度よりも高いことを特徴とする低体重児用吸収パッド。
【請求項５】
請求項１から４の何れか１項に記載の低体重児用吸収パッドであって、
非肌側面に接着部が設けられていないことを特徴とする低体重児用吸収パッド。
【請求項６】
請求項１から５の何れか１項に記載の低体重児用吸収パッドであって、
前記低体重児用吸収パッドを、肌側面を上にして黒色の板に載せた状態で、前記低体重児用吸収パッドを肌側から見た場合に、前記デザイン柄が視認不可能であることを特徴とする低体重児用吸収パッド。
【請求項７】
請求項１から６の何れか１項に記載の低体重児用吸収パッドであって、
５０ルクスの照明下で、前記低体重児用吸収パッドを空中に浮かして保持した状態で、前記低体重児用吸収パッドを肌側から見た場合に、前記低体重児用吸収パッドのうち前記吸収体が存在する部位において、前記デザイン柄が視認不可能であることを特徴とする低体重児用吸収パッド。
【請求項８】
請求項１から７の何れか１項に記載の低体重児用吸収パッドであって、
前記デザイン柄は、第１色を有する第１デザイン柄と、前記第１色とは異なる色である第２色を有する第２デザイン柄とを有し、
前記第１デザイン柄、及び、前記第２デザイン柄は、前記低体重児用吸収パッドの前記長手方向の中心線と、前記幅方向の中心線とのうちの少なくとも一方に対して、非対称に配置されていることを特徴とする低体重児用吸収パッド。
【請求項９】
請求項１から８の何れか１項に記載の低体重児用吸収パッドを複数内包する低体重児用吸収パッドのパッケージであって、
前記デザイン柄が異なる複数の低体重児用吸収パッドを内包することを特徴とする低体重児用吸収パッドのパッケージ。
【発明の詳細な説明】
【技術分野】
【０００１】
本発明は、低体重児用吸収パッド、及び、低体重児用吸収パッドのパッケージに関する。
【背景技術】
【０００２】
特許文献１には、吸収体と、一対のファスニングテープとを有し、３０００ｇ（グラム）以下の低体重児を主な着用対象者としたテープタイプの使い捨ておむつが開示されている。
【先行技術文献】
【特許文献】
【０００３】
【特許文献１】特開２０１６−２０２７３９号公報
【発明の概要】
【発明が解決しようとする課題】
【０００４】
特許文献１にも記載されているように、テープタイプのおむつは、一般に、肌側面を内側にして長手方向に二つ折り等されて梱包（包装）されている。仮に、低体重児用吸収パッドも長手方向に二つ折りされて梱包されるとする。その場合、吸収パッドを低体重児の下に敷き込む際に、梱包時の折り癖により、例えば吸収パッドが断面Ｚ字状に折れて段差が生じ、低体重児の弱い肌を傷付けてしまうおそれがある。一方で、低体重児に吸収パッドを装着する看護師等は、習慣的に、二つ折り等されている内側面が肌側面であると判断することが多い。そのため、低体重児用吸収パッドが二つ折り等されて梱包されていないと、看護師等は、吸収パッドの肌側面及び非肌側面を判別できないおそれがある。
【０００５】
そこで、本発明は、低体重児の肌への負担を軽減でき、かつ、吸収パッドの肌側面及び非肌側面を判別しやすい低体重児用吸収パッド、及び、低体重児用吸収パッドのパッケージを提供することを目的とする。
【課題を解決するための手段】
【０００６】
上記目的を達成するための主たる発明は、長手方向と幅方向とを有し、吸収体と、前記吸収体よりも肌側に配置された肌側シートと、前記吸収体よりも非肌側に配置された外装シートとを有する低体重児用吸収パッドであって、前記長手方向の長さは１８０ｍｍ以下であり、前記幅方向の長さは７５ｍｍ未満であり、梱包状態において、前記低体重児用吸収パッドは折られていない状態であり、前記外装シートの非肌側から視認可能なデザイン柄を有することを特徴とする低体重児用吸収パッドである。
本発明の他の特徴については、本明細書及び添付図面の記載により明らかにする。
【発明の効果】
【０００７】
本発明によれば、低体重児の肌への負担を軽減でき、かつ、吸収パッドの肌側面及び非肌側面を判別しやすい低体重児用吸収パッド、及び、低体重児用吸収パッドのパッケージを提供することができる。
【図面の簡単な説明】
【０００８】
【図１】低体重児用吸収パッド１の肌側平面図である。
【図２】低体重児用吸収パッド１の非肌側平面図である。
【図３】図１に示す線Ａ−Ａでの断面図である。
【図４】吸収パッド１のパッケージ４０の概略斜視図である。
【図５】図５Ａ及び図５Ｂは吸収パッド１の使用方法の一例を説明する図である。
【図６】吸収パッド１の肌側からのデザイン柄３０の視認性を説明する図である。
【図７】吸収パッド１の肌側からのデザイン柄３０の視認性を説明する図である。
【図８】図８Ａ及び図８Ｂは吸収パッド１の使用方法の一例を説明する図である。
【発明を実施するための形態】
【０００９】
本明細書及び添付図面の記載により、少なくとも以下の事項が明らかとなる。
長手方向と幅方向とを有し、吸収体と、前記吸収体よりも肌側に配置された肌側シートと、前記吸収体よりも非肌側に配置された外装シートとを有する低体重児用吸収パッドであって、前記長手方向の長さは１８０ｍｍ以下であり、前記幅方向の長さは７５ｍｍ未満であり、梱包状態において、前記低体重児用吸収パッドは折られていない状態であり、前記外装シートの非肌側から視認可能なデザイン柄を有することを特徴とする低体重児用吸収パッド。
【００１０】
このような低体重児用吸収パッドによれば、低体重児の下に敷き込む吸収パッドの長さを短くでき、低体重児を必要以上に動かさずに吸収パッドを交換でき、低体重児に適したサイズの吸収パッドを提供できる。また、低体重児の下に吸収パッドを敷き込む際に、吸収パッドの折り癖によって、例えば吸収パッドが断面Ｚ字状に折れて段差が生じてしまうことを抑制でき、段差により低体重児の肌を傷付けてしまうことを抑制できる。また、デザイン柄を基準に、吸収パッドの肌側面及び非肌側面を判別できる。
【００１１】
かかる低体重児用吸収パッドであって、前記吸収体と前記肌側シートとの間に、液透過性の中間シートを有することを特徴とする低体重児用吸収パッドである。
【００１２】
このような低体重児用吸収パッドによれば、吸収パッドの肌側からのデザイン柄の視認性が低下する。そのため、デザイン柄を基準に、吸収パッドの肌側面及び非肌側面をより判別しやすくなる。
【００１３】
かかる低体重児用吸収パッドであって、前記中間シートの厚みは、前記肌側シートの厚みよりも薄いことを特徴とする低体重児用吸収パッドである。
【００１４】
このような低体重児用吸収パッドによれば、中間シートが設けられたことにより吸収パッドの厚みが増してしまうことを抑えられる。よって、低体重児に吸収パッドが当接する部位と当接しない部位との段差を小さくでき、段差によって低体重児の肌を傷つけてしまうことを抑制できる。
【００１５】
かかる低体重児用吸収パッドであって、前記中間シートの密度は、前記肌側シートの密度よりも高いことを特徴とする低体重児用吸収パッドである。
【００１６】
このような低体重児用吸収パッドによれば、中間シートの光線透過率を下げることができ、吸収パッドの肌側からのデザイン柄の視認性が低下する。そのため、デザイン柄を基準に、吸収パッドの肌側面及び非肌側面をより判別しやすくなる。
【００１７】
かかる低体重児用吸収パッドであって、非肌側面に接着部が設けられていないことを特徴とする低体重児用吸収パッドである。
【００１８】
このような低体重児用吸収パッドによれば、脚をＭ字型に強く曲げた姿勢を取る低体重児の脚に、吸収パッドの非肌側面の接着部がくっついてしまうことを防止でき、看護師らが吸収パットを扱いやすくなる。非肌側面に接着部が設けられていなくとも、デザイン柄を基準に、吸収パッドの肌側面及び非肌側面を判別できる。
【００１９】
かかる低体重児用吸収パッドであって、前記低体重児用吸収パッドを、肌側面を上にして黒色の板に載せた状態で、前記低体重児用吸収パッドを肌側から見た場合に、前記デザイン柄が視認不可能であることを特徴とする低体重児用吸収パッドである。
【００２０】
このような低体重児用吸収パッドによれば、低体重児が過ごす比較的に暗い環境において、吸収パッドの肌側からデザイン柄が視認されにくい。よって、デザイン柄を基準に、吸収パッドの肌側面及び非肌側面をより判別しやすくなる。
【００２１】
かかる低体重児用吸収パッドであって、５０ルクスの照明下で、前記低体重児用吸収パッドを空中に浮かして保持した状態で、前記低体重児用吸収パッドを肌側から見た場合に、前記低体重児用吸収パッドのうち前記吸収体が存在する部位において、前記デザイン柄が視認不可能であることを特徴とする低体重児用吸収パッドである。
【００２２】
このような低体重児用吸収パッドによれば、低体重児が過ごす比較的に暗い環境において、吸収パッドの肌側からデザイン柄が視認されにくい。よって、デザイン柄を基準に、吸収パッドの肌側面及び非肌側面をより判別しやすくなる。
【００２３】
かかる低体重児用吸収パッドであって、前記デザイン柄は、第１色を有する第１デザイン柄と、前記第１色とは異なる色である第２色を有する第２デザイン柄とを有し、前記第１デザイン柄、及び、前記第２デザイン柄は、前記低体重児用吸収パッドの前記長手方向の中心線と、前記幅方向の中心線とのうちの少なくとも一方に対して、非対称に配置されていることを特徴とする低体重児用吸収パッドである。
【００２４】
このような低体重児用吸収パッドによれば、吸収パッドのデザインがカラフルとなり、デザイン性も高まるため、低体重児の母親等の心を癒し、低体重児に対する母親等の愛着形成を促進させることができる。
【００２５】
かかる低体重児用吸収パッドを複数内包する低体重児用吸収パッドのパッケージであって、前記デザイン柄が異なる複数の低体重児用吸収パッドを内包することを特徴とする低体重児用吸収パッドのパッケージである。
【００２６】
このような低体重児用吸収パッドのパッケージによれば、吸収パッドのデザインの違いを楽しむことができ、低体重児の母親等の心を癒し、低体重児に対する母親等の愛着形成を促進させることができる。
【００２７】
＝＝＝実施形態＝＝＝
低体重児用吸収パッドとは、体重３０００ｇ以下の低体重児を着用対象とした吸収パッドである。中でも、２５００ｇ未満の低出生体重児、１５００ｇ未満の極低出生体重児、１０００ｇ未満の超低出生体重児に好適に適用できる。
【００２８】
＝＝＝低体重児用吸収パッド１の基本構成＝＝＝
図１は、低体重児用吸収パッド１（以下「吸収パッド」ともいう）の肌側平面図である。図２は、吸収パッド１の非肌側平面図である。図３は、図１に示す線Ａ−Ａでの断面模式図である。
【００２９】
吸収パッド１は、所謂フラットタイプの使い捨ておむつであって、平面視略長方形状であり、互いに直交する長手方向と幅方向と厚さ方向とを有する。厚さ方向において、着用者に接する側を肌側といい、その反対側を非肌側という。
【００３０】
図３に示すように、吸収パッド１は、吸収体２と、吸収体２よりも肌側に配置された肌側シート３と、吸収体２と肌側シート３の間に配置された中間シート４と、吸収体２よりも非肌側に配置された外装シート６と、吸収体２と外装シート６の間に配置された防漏シート５とを有する。肌側シート３及び中間シート４は液透過性のシートである。防漏シート５は液不透過性のシートである。また、厚さ方向に隣り合う資材は接着剤１０によって接合されている。
【００３１】
吸収体２は、高分子吸収剤（super absorbent polymer、以下「ＳＡＰ」ともいう）と、パルプ繊維等の液体吸収性繊維とを有する。ＳＡＰを含有する液体吸収性繊維（吸収コア２Ａ）は、図３に示すように液透過性のコアラップシート２Ｂで覆われていてもよいし、覆われていなくてもよい。また、吸収体２の構成は上記に限定されず、例えば、親水性のシートにＳＡＰ層を付着させたＳＡＰシートや、液体吸収性繊維をエアレイド法によってシート状に成形したエアレイドシート等を例示できる。
【００３２】
また、吸収パッド１では、吸収体２よりも外側の外周縁部において、溶着部７が設けられている。溶着部７では、ヒートシール加工によって、肌側シート３と、中間シート４と、防漏シート５と、外装シート６とが溶着されて、接合一体化している。本実施形態の溶着部７は、吸収パッド２の外周縁部に沿って線状に連続して溶着された線状の溶着部７Ａと、線状の溶着部７Ａの内側において、線状の溶着部７Ａに沿って配置された点状の溶着部７Ｂとを有する。ただし、これに限らず、吸収パッド１が溶着部７を有していなくてもよい。
【００３３】
＝＝＝低体重児用吸収パッド１及びパッケージ４０の特徴部＝＝＝
図４は、吸収パッド１のパッケージ４０の概略斜視図である。図５Ａ及び図５Ｂは、パッケージ４０に内包されている吸収パッド１の一例である。図６及び図７は、吸収パッド１の肌側からのデザイン柄３０の視認性を説明する図である。図８Ａ及び図８Ｂは、吸収パッド１の使用方法の一例を説明する図である。
【００３４】
低体重児は、一般に、病院等において保育器の中で育成されている。保育器内において、低体重児は、安静を保つために、マットの上で胎内にいた時の姿勢（背中をＣ字型に丸くカーブさせ、脚をＭ字型に強く曲げた姿勢）で寝ていることが多い。低体重児のおむつ（吸収パッド１）の交換は、低体重児の身体とマットの間から使用済みのおむつが抜き取られた後、低体重児の身体とマットの間に新しいおむつが挿入される。
【００３５】
低体重児の中でも特に１０００ｇ未満の児の肌は弱い。そのため、１０００ｇ未満の児には、ファスニングテープを有さない吸収パッド１が好適に使用される。これは、吸収パッド１の交換時において、低体重児の身体とマットの間に剛性の高いファスニングテープが抜き差しされることがなく、ファスニングテープで低体重児の肌を傷付けてしまうことを防止できるからである。また、テープタイプのおむつに比べて、吸収パッド１の着脱は容易である。そのため、１０００ｇ未満の児を必要以上に動かさずに、吸収パッド１の交換を行えるので、１０００ｇ未満の児の安静を保つことができ、看護師等の負担も軽減できる。
【００３６】
また、１０００ｇ未満の児には、チューブ等の医療器具が取り付けられていたり、光線治療が施されていたりすることが多い。吸収パッド１を使用することで、低体重児の肌の露出面積を増やすことができる。そのため、低体重児に医療器具を取り付けやすくなり、光線治療の照射面積を増やすことができ、医療の妨げを抑制しつつ使用できる。
【００３７】
そこで、本実施形態の吸収パッド１の主な着用対象者を１０００ｇ未満の児とする。そのため、吸収パッド１が長手方向及び幅方向に展開している状態（図１）において、吸収パッド１の製品長（長手方向の長さ）Ｌ１を１８０ｍｍ以下とし、吸収パッド１の製品幅（幅方向の長さ）Ｗ１，Ｗ２を７５ｍｍ未満とする（Ｌ１≦１８０ｍｍ、Ｗ１，Ｗ２＜７５ｍｍ）。
【００３８】
吸収パッド１の製品長Ｌ１が１８０ｍｍよりも長い場合、低体重児の肌を不要に覆い、医療の妨げとなるおそれがある。また、吸収パッド１の製品幅Ｗ１，Ｗ２が７５ｍｍ以上であると、脚をＭ字型に強く曲げた姿勢を取りにくく、無理に姿勢を取らせると低体重児の肌を傷付けてしまうおそれがある。そのため、吸収パッド１のサイズを上記にすることで、医療の妨げを抑制しつつ使用でき、低体重児の肌への負担を軽減できる。
【００３９】
また、１０００ｇ未満の児の臍から背側の腰部まで長さは１４０ｍｍ程度である。そこで、本実施形態では、吸収パッド１の製品長Ｌ１を１８０ｍｍ以下とし、好ましくは１４０ｍｍ以下とする。このように製品長Ｌ１を出来る限り短くすることで、低体重児の下に敷き込む吸収パッド１の長さを短くできる。よって、吸収パッド１を敷き込みやすくなり、低体重児の肌への負担も軽減できる。また、１０００ｇ未満の児の股間幅は３５ｍｍ程度であるため、本実施形態では、吸収体２の幅Ｗ３を３４ｍｍとし、吸収パッド１の長手方向中央の製品幅Ｗ１〜Ｗ２を５０〜５６ｍｍとする。そうすることで、排泄物を吸収体２でしっかりと吸収できる。また、吸収パッド１を低体重児の下に敷き込んだ際に、吸収パッド１で低体重児の臀部を覆うことができる。そのため、吸収パッド１で排泄物を捉えることができる。また、看護師等にも漏れにくいという安心感を付与できる。
【００４０】
また、本実施形態の吸収パッド１は、長手方向に対称な形状であり、長手方向の前後を区別することなく使用できる。また、吸収パッド１の幅方向の両側端は、長手方向の中央部において幅方向の内側に凸となるように湾曲している。本実施形態では、吸収パッド１の長手方向の中央部の製品幅（最小幅）Ｗ１を５０ｍｍとするのに対して、長手方向の両端部の製品幅（最大幅）Ｗ２を５６ｍｍとする。
【００４１】
このように、吸収パッド１の長手方向の両端部が膨らんだ形状であることで、低体重児の下に吸収パッド１を敷き込む際に、低体重児の身体の横から吸収パッド１が突出する。そのため、看護師等は、低体重児の身体の横から突出した吸収パッド１の部位を指で押さえることができ、吸収パッド１を敷き込みやすくなる。よって、看護師等は、低体重児の身体を必要以上に動かさず、かつ、低体重児の身体に触れずに、吸収パッド１を安全に敷き込むことができる。ただし、吸収パッド１の形状は、上記に限定されず、例えば長方形状等の種々の形状であってよい。また、吸収パッド１は長手方向に非対称な形状であってもよい。
【００４２】
また、図４に示すように、吸収パッド１はパッケージ４０（袋体）に複数個ずつ又は個別に内包された状態で流通する。本実施形態の吸収パッド１は、パッケージ４０内において（梱包状態において）、折られていない状態であるとする。
【００４３】
そうすることで、パッケージ４０から取り出された吸収パッド１には、折り癖が付いていない。そのため、低体重児とマット等の間に吸収パッド１をスムーズに敷き込める。また、吸収パッド１を敷き込む際に、吸収パッド１の折り癖によって、例えば吸収パッド１が断面Ｚ字状に折れて段差が生じてしまうことがなく、段差により低体重児の肌を傷付けてしまうことを防止できる。よって、低体重児の肌への負担を軽減できる。
【００４４】
ただし、一般のテープタイプのおむつや吸収パッドは、肌側面を内側にして、長手方向に２つ折り等された状態で梱包されている。そのため、看護師等は、習慣的に、二つ折りされている内側面を肌側面と判断することが多い。よって、本実施形態のように、吸収パッド１が折られていない状態で梱包されている場合、吸収パッド１の肌側面及び非肌側面を判別しにくくなってしまう。
【００４５】
そこで、本実施形態の吸収パッド１は、図２に示すように、外装シート６の非肌側から視認可能なデザイン柄３０を有するものとする。そうすることで、看護師等は、デザイン柄３０を基準に、吸収パッド１の肌側面及び非肌側面を判別できる。つまり、看護師等は、パッケージ４０から取り出した吸収パッド１を見て、デザイン柄３０が視認可能な面を非肌側面と判断できる。よって、吸収パッド１の肌側面及び非肌側面が誤って装着されてしまうことを抑制できる。
【００４６】
本実施形態では、防漏シート５の非肌側面に印刷されたデザイン柄３０が外装シート６を介して視認可能とする。ただし、これに限らず、防漏シート５の肌側面や、外装シート６の肌側面又は非肌側面に、デザイン柄３０が印刷されていてもよい。このように、吸収体２よりも非肌側に配置されたシートにデザイン柄３０が印刷されていることで、吸収パッド１の肌側からのデザイン柄３０の視認性が低く、デザイン柄３０を基準に吸収パッド１の肌側面及び非肌側面を判断しやすくなる。
【００４７】
図２では、デザイン柄３０として、動物、ハート、水玉模様、商品のキャラクター等が描かれているが、これらに限定されず、デザイン柄３０は、例えば草花や星や乗り物等であってもよい。また、デザイン柄３０は、文字や数字や記号等であってもよく、例えば商品名やサイズ（５Ｓ等）や形式（フラットタイプ等）を示すものであってもよい。また、デザイン柄３０は印刷によって形成されるに限らず、例えばエンボスパターンで形成されていてもよい。
【００４８】
また、低体重児用吸収パッド１は、通常、下着や使い捨ておむつに貼り付けられて使用されない。そのため、吸収パッド１の非肌側面（外装シート６の非肌側面）に、ずれ止め用の接着部が設けられていないことが好ましい。そうすることで、吸収パッド１の装着時に、低体重児とマット等の間に吸収パッド１を敷き込みやすくなる。また、脚をＭ字型に強く曲げた姿勢を取る低体重児の脚に、ずれ止め用の接着部がくっついてしまうことを防止できる。そのため、看護師らが吸収パット１を扱いやすくなる。
【００４９】
一方、ずれ止め用の接着部は、吸収パッド１の肌側面及び非肌側面を判別する基準となる。そのため、ずれ止め用の接着部がない場合、吸収パッド１の肌側面及び非肌側面を判別しにくくなってしまう。しかし、本実施形態の吸収パッド１によれば、外装シート６の非肌側から視認可能なデザイン柄３０を基準に、吸収パッド１の肌側面及び非肌側面を判断できるので、吸収パッド１が正しく装着される。
【００５０】
また、液不透過性の防漏シート５を最も非肌側に位置するシート（外装シート）としてもよいが、本実施形態の吸収パッド１のように、防漏シート５よりも非肌側に、肌側シート３と同様に柔軟な外装シート６が設けられていることが好ましい。そうすることで、脚をＭ字型に強く曲げた姿勢を取る低体重児の脚に、柔軟な外装シート６が接触するため、低体重児の肌を傷付けてしまうことを抑制できる。外装シート６としては、エアスルー不織布等を例示できる。
【００５１】
この場合、最も肌側に位置する肌側シート３と、最も非肌側に位置する外装シート６とが、共に柔軟なシートとなる。そのため、液不透過性の防漏シート５（例えばポリエチレンやポリプロピレンの樹脂フィルム等）が最も非肌側に位置する場合に比べて、吸収パッド１の肌側面及び非肌側面を判別しにくくなってしまう。しかし、本実施形態の吸収パッド１によれば、外装シート６の非肌側から視認可能なデザイン柄３０を基準に、吸収パッド１の肌側面及び非肌側面を判断できるので、吸収パッド１が正しく装着される。
【００５２】
また、吸収パッド１は、図３に示すように、吸収体２と肌側シート３との間に、液透過性の中間シート４を有する。そのため、中間シート４を有さない場合に比べて、防漏シート５に印刷されたデザイン柄３０が吸収パッド１の肌側に透過されにくく、吸収パッド１の肌側からデザイン柄３０が視認されにくくなる。つまり、吸収パッド１の肌側からのデザイン柄３０の視認性と、吸収パッド１の非肌側からのデザイン柄３０の視認性との差が大きくなる。そのため、看護師等は、デザイン柄３０を基準に、より素早く、より確実に、吸収パッド１の肌側面及び非肌側面を判別できる。
【００５３】
それに加えて、吸収パッド１が中間シート４を有することで、吸収パッド１の剛性が高まり、低体重児とマット等の間に吸収パッド１を敷き込みやすくなる。また、吸収パッド１を敷き込む際に、例えば吸収パッド１が断面Ｚ字状に折れて段差が生じてしまうことを抑制でき、段差により低体重児の肌を傷付けてしまうことを抑制できる。
【００５４】
吸収パッド１の剛性を高めるためには、吸収体２の剛性を高めてもよい。ただし、吸収体２の端を起点に吸収パッド１は折れやすいため、低体重児の脚をＭ字型に強く曲げた際に、剛性の高い吸収体２を脚で挟み込むことになり、低体重児の肌を傷付けてしまうおそれがある。そのため、上記のように吸収パッド１に中間シート４を設けることが好ましい。
【００５５】
本実施形態では、平面視において、中間シート４の外形及び大きさを、肌側シート３及び外装シート６と同じとし、中間シート４は吸収パッド１の外形形状を成すが、これに限らない。ただし、中間シート４は、デザイン柄３０が印刷されたシート（本実施形態では防漏シート５）を肌側から完全に覆うことのできる外形及び大きさであることが好ましい。そうすることで、吸収パッド１の肌側からデザイン柄３０がより視認されにくくなる。
【００５６】
また、図３に示すように、中間シート４の厚みｔ１は、肌側シート３の厚みｔ２よりも薄いことが好ましい（ｔ１＜ｔ２）。そうすることで、吸収パッド１に中間シート４を設けたことで、吸収パッド１の厚みが増してしまうことを抑えられる。よって、低体重児に吸収パッド１が当接する部位と当接しない部位との段差が小さくなり、段差によって低体重児の肌を傷つけてしまうことを抑制できる。
【００５７】
また、中間シート４の密度（ｇ／ｍ3）は、肌側シート３の密度（ｇ／ｍ3）よりも高いことが好ましい。そうすることで、中間シート４の白度が高まり、光線透過率を下げることができ、吸収パッド１の肌側からデザイン柄３０がより視認されにくくなる。よって、看護師等は、デザイン柄３０を基準に、より素早く、より確実に、吸収パッド１の肌側面及び非肌側面を判別できる。
【００５８】
それに加えて、中間シート４の密度を高めることで、中間シート４の剛性が高まり、吸収パッド１の剛性も高まる。よって、低体重児とマット等の間に吸収パッド１を敷き込みやすくなる。また、肌側シート３から中間シート４への排泄物の引き込み性が高まり、リウェット率が低下するため、吸収パッド１の着け心地をよくできる。
【００５９】
中間シート４は、低体重児の肌に直接触れないため、肌側シート３に比べて、厚みが薄く、剛性が高くとも、低体重児の肌を傷付けにくい。換言すると、肌側シート３の厚みを厚くし、剛性を低くすることで、低体重児の肌に直接触れる肌側シート３の柔軟性を高めることができ、吸収パッド１の着け心地をよくできる。中間シート４としては、スパンボンド不織布やエアレイド不織布やティッシュ等を例示できる。肌側シート３としては、エアスルー不織布等を例示できる。
【００６０】
ただし、上記に限らず、中間シート４を有さない吸収パッド１であってもよい。また、中間シート４の厚みが肌側シート３の厚み以上でもよく、中間シート４の密度が肌側シート３の密度以下でもよい。
【００６１】
肌側シート３や中間シート４の厚み及び密度の比較は、周知の方法で行うとよい。本実施形態では、肌側シート３及び中間シート４の厚み及び密度を均一とするが、均一でない場合には、複数箇所を測定し、その平均厚み及び平均密度で比較する。
【００６２】
厚みの比較は、例えば、ミツトヨ（株）製のダイヤルシックネスゲージＩＤ−Ｃ１０１２Ｃ又はそれと同等のものを使用し、接触子の面積を２０ｍｍ2、接触圧を３ｇｆ／ｃｍ2（２９４Ｎ／ｍ2）に設定して測定することができる。また、例えば、吸収パッド１の断面に基づき目視で比較したり、吸収パッド１の断面を撮影した画像に基づき厚みを測定して比較したりしてもよい。
【００６３】
密度の比較は、例えば、吸収パッド１から、肌側シート３及び中間シート４をそれぞれサンプルとして切り出し、各サンプルの面積と質量を測定し、単位面積あたりの質量である坪量（ｇ／ｍ2）を算出する。また、上記の方法で各サンプルの厚みも測定し、サンプルの坪量（ｇ／ｍ2）を厚み（ｍ）で除することで、密度を算出することができる（ｇ／ｍ3）。
【００６４】
また、図３に示すように、吸収コア２Ａ（ＳＡＰ及び液体吸収性繊維）がコアラップシート２Ｂで覆われていることによっても、吸収パッド１の肌側からデザイン柄３０がより視認されにくくなる。
【００６５】
また、低体重児は、より胎内に近い環境で育成されるように、照度が落とされた部屋で過ごすことが多い。その環境を想定し、図６に示すように、吸収パッド１を、肌側面を上にして黒色の板５０に載せた状態で、吸収パッド１を肌側から見た場合に、デザイン柄３０が視認不可能であることが好ましい。
【００６６】
このような吸収パッド１によれば、低体重児が過ごす比較的に暗い環境において看護師等が吸収パッド１を交換する際に、吸収パッド１の肌側からデザイン柄３０が視認されにくくなる。よって、看護師等は、デザイン柄３０を基準に、より素早く、より確実に、吸収パッド１の肌側面及び非肌側面を判別できる。
【００６７】
なお、黒色の板５０として、ＰＡＮＴＯＮＥ（登録商標）の色見本帳における４１２ｃ、４１９ｃ、４２６ｃ、４３３ｃ、４４０ｃ、４４７ｃ、４１２ｕ、４１９ｕ、４２６ｕ、４３３ｕ、４４０ｕ、４４７ｕのいずれかに該当する色で着色された板を例示できる。
【００６８】
また、低体重児が過ごす部屋の照度は、日中は１００〜３００ルクス程度、夜間は５０ルクス以下程度がよいことが知られている。そのため、少なくとも５０ルクスの照明下において、図７に示すように、吸収パッド１を空中に浮かして保持した状態で、吸収パッド１を肌側から見た場合に、吸収パッド１のうち吸収体２が存在する部位において、デザイン柄３０が視認不可能であるとよい。より好ましくは３００ルクスの照明下において、上記であるとよい。
【００６９】
このような吸収パッド１によれば、低体重児が過ごす比較的に暗い環境において、吸収パッド１の肌側からデザイン柄３０が視認される面積が、吸収パッド１の非肌側からデザイン柄３０が視認される面積に比べて小さく、吸収パッド１の肌側からデザイン柄３０が視認されにくくなる。よって、看護師等は、デザイン柄３０を基準に、より素早く、より確実に、吸収パッド１の肌側面及び非肌側面を判別できる。
【００７０】
なお、照度の測定は、周知の方法で行うとよい。例えば、（株）トプコン製の照度計ＩＭ−５等を用いて、吸収パッド１が交換される位置である保育器等の直上から測定する方法を例示できる。
【００７１】
また、低体重児は、保育器の中で育成されていることが多く、保育器内で低体重児が身につけるものは吸収パッド１のみとなることが多い。低体重児の母親は、予定より早く産んで申し訳ない気持ちになったり、落ち込んだりすることがある。また、母親等が低体重児に接する機会も自由ではない。そのため、吸収パッド１がデザイン柄３０を有することで、母親等は、自分の子供も、正期産の赤ちゃんと同じように、可愛いおむつ（吸収パッド１）を着用できているという安心感が得られる。その結果、母親等の心を癒し、低体重児に対する母親等の愛着形成を促進させることができる。
【００７２】
さらに、デザイン柄３０は、ある色（例えば水色）を有するデザイン柄３０Ａ（例えば象）と、ある色とは異なる色（例えばピンク色）を有するデザイン柄３０Ｂ（例えばウサギ）とを有することが好ましい。つまり、デザイン柄３０が複数の色で形成されていることが好ましい。そうすることで、吸収パッド１がカラフルなデザインとなり、吸収パッド１がより可愛らしいものとなる。その結果、より一層、母親等の心を癒し、低体重児に対する母親等の愛着形成を促進させることができる。
【００７３】
なお、複数のデザイン柄３０がそれぞれ有する異なる色とは、例えば、色差が１３以上の色とする。色差は周知の方法で測定でき、例えば、コニカミノルタ社製の色彩色差計ＣＲ−３００又はそれと同等のものを使用して測定できる。その他、色見本（例えば、日本工業規格ＪＩＳ  Ｚ８１０２：２００１の付表１）で示される色名が異なる色であってもよい。
【００７４】
さらに、複数のデザイン柄３０が、吸収パッド１を長手方向に２分する中心線ＣＬ１と、吸収パッド１を幅方向に２分する中心線ＣＬ２とのうちの少なくとも一方に対して、非対称に配置されていることが好ましい。これにより、吸収パッド１のデザイン性が増す。その結果、より一層、母親等の心を癒し、低体重児に対する母親等の愛着形成を促進させることができる。
【００７５】
ただし、上記に限定されず、複数のデザイン柄３０が単色であってもよい。また、複数のデザイン柄３０が中心線ＣＬ１，ＣＬ２に対して対称に配置されていたり、等間隔で並んでいたりしてもよい。
【００７６】
また、デザイン柄３０は、血（血尿、血便等）や便と誤認する可能性がある色を有さないことが好ましい。例えば、血と誤認されないように、デザイン柄３０は、ＰＡＮＴＯＮＥ（登録商標）の色見本帳における１９７Ｕ及び７０７Ｕよりも濃い赤色を有さないことが望ましい。また、低体重児の便の色は正期産の児の便よりも黄味がかっている。そのため、便と誤認されないように、デザイン柄３０は、ＰＡＮＴＯＮＥの色見本帳における１１０Ｕ、１１１Ｕ、１１２Ｕ、１１７Ｕ、１１８Ｕ、１１９Ｕ、１２５Ｕ、１２６Ｕ、１２４５Ｕ、１２５５Ｕ、１２６５Ｕ、１３２Ｕ、１３３Ｕ、１３９Ｕ、１４０Ｕ、１３９５Ｕ、１４０５Ｕ、１４６Ｕ、１４７Ｕ、１５３Ｕ、１５４Ｕを有さないことが好ましい。そうすることで、看護師等がデザイン柄３０を血や便と誤認する可能性を低減でき、看護師等が低体重児の身体を不必要に動かしたり観察したりすることを抑制できる。
【００７７】
また、本実施形態の吸収パッド１は、長手方向に対称な形状であり、長手方向の前後を区別することなく使用できる。その場合、デザイン柄３０の上下方向が吸収パッド１の長手方向に沿っていないことが好ましい。上下方向を有するデザイン柄３０としては、動物、植物、乗り物、文字、数字、記号等を例示できる。仮に、デザイン柄３０の上下方向が吸収パッド１の長手方向に沿っていると、看護師等は、デザイン柄３０の上下方向が吸収パッド１の長手方向の前後に対応していると勘違いし、長手方向の前後を確認しながら装着してしまうおそれがある。そのため、吸収パッド１の長手方向に対してデザイン柄３０の上下方向を傾斜させることで（例えば３０〜９０度程度傾斜させることで）、吸収パッド１は長手方向の前後を区別することなく使用できることを間接的に表現できる。
【００７８】
また、吸収パッド１のパッケージ４０（図４）は、デザイン柄３０が異なる複数の吸収パッド１を内包することが好ましい。デザイン柄３０が異なるとは、例えば、図５Ａの吸収パッド１がウサギや象のデザイン柄３０を有するのに対して、図５Ｂの吸収パッド１が犬や猫のデザイン柄３０を有するというように、各吸収パッド１が有するデザイン柄３０の種類（形状）が異なっているとよい。その他、各吸収パッド１が有するデザイン柄３０の種類が同じであっても配置や色が異なっていたり、デザイン柄３０の種類の組み合わせが異なっていたりする場合にも、デザイン柄３０が異なるといえる。
【００７９】
このようにパッケージ４０が、種々のデザインである吸収パッド１を内包することで、母親等はデザインの違いを楽しむことができる。その結果、より一層、母親等の心を癒し、低体重児に対する母親等の愛着形成を促進させることができる。
【００８０】
また、図８Ａ及び図８Ｂに示すように、吸収パッド１は、テープタイプのおむつ２０と併用することができる。図８Ａに示すように、吸収パッド１の下に、展開状態のテープタイプのおむつ２０を敷くことで、吸収パッド１から漏れた排泄物をテープタイプのおむつ２０で捉えることができる。また、吸収パッド１の交換時に排泄物が付着した低体重児の肌で、マット等を汚してしまうことを防止できる。このように、吸収パッド１とテープタイプのおむつ２０を併用する場合、吸収パッド１に比べて着脱が大変なテープタイプのおむつ２０の交換頻度（例えば半日や１日毎）を、吸収パッド１の交換頻度（例えば３時間毎）よりも少なくできる。そのため、低体重児の安静を保つことができ、看護師等の負担も軽減できる。
【００８１】
さらに、外装シート６（吸収パッド１）の非肌側面は、テープタイプのおむつ２０が有するファスニングテープ２１が係止可能であることが好ましく、外装シート６として例えば不織布等を例示できる。そうすることで、図８Ｂに示すように、低体重児の身体に沿って長手方向に折り曲げられた吸収パッド１に対して、テープタイプのおむつ２０のファスニングテープ２１を幅方向の内側に折って係止できる。そうすることで、吸収パッド１が長手方向に展開してしまうことを抑制でき、吸収パッド１を低体重児の身体に沿わせた状態を維持できる。
【００８２】
また、本実施形態の吸収パッド１の主な着用対象者を１０００ｇ未満の児としているが、これに限らない。１０００ｇ以上の低体重児の中には、臍から点滴を入れていたり、股関節に障害があったり等の理由から、テープタイプのおむつを使用できない児もいる。そのような１０００ｇ以上の低体重児にも、本実施形態の吸収パッド１を好適に適用できる。
【００８３】
以上、上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００８４】
１  吸収パッド（低体重児用吸収パッド）、
２  吸収体、２Ａ  吸収コア、２Ｂ  コアラップシート、
３  肌側シート、４  中間シート、５  防漏シート、
６  外装シート、７  溶着部、
１０  接着剤、
２０  テープタイプのおむつ、２１  ファスニングテープ、
３０  デザイン柄、
４０  パッケージ（低体重児用吸収パッドのパッケージ）、
５０  黒色の板
【図１】
2019208960.tif 000003
【図２】
2019208960.tif 000004
【図３】
2019208960.tif 000005
【図４】
2019208960.tif 000006
【図５】
2019208960.tif 000007
【図６】
2019208960.tif 000008
【図７】
2019208960.tif 000009
【図８】
2019208960.tif 000010